(57)【要約】【課題】店員及び買物客の利便性を高め、作業効率の向上を図ることが可能な読取装置を提供する。【解決手段】オペレータと顧客とが略対面する場所に設置され、購入する商品の読み取りを行う読取装置であって、オペレータが位置する側に開口部が設けられた本体部と、前記本体部内に設けられ、前記開口部を介して前記商品を撮像するオペレータ用の撮像部と、前記本体部の上面に設けられ、顧客が所持する近距離無線通信可能な物品と交信し、当該物品に記憶された所定の付加情報を読み取る顧客用の読取部と、を備える。【選択図】図２
2015152960.tif 000002
【特許請求の範囲】
【請求項１】
オペレータと顧客とが略対面する場所に設置され、購入する商品の読み取りを行う読取装置であって、
オペレータが位置する側に開口部が設けられた本体部と、
前記本体部内に設けられ、前記開口部を介して前記商品を撮像するオペレータ用の撮像部と、
前記本体部の上面に設けられ、顧客が所持する近距離無線通信可能な物品と交信し、当該物品に記憶された所定の付加情報を読み取る顧客用の読取部と、
を備える読取装置。
【請求項２】
前記本体部の上面は、前記オペレータが位置する側から前記顧客が位置する側へ下る傾斜面を有し、
前記読取部は、前記傾斜面に設けられる請求項１に記載の読取装置。
【請求項３】
前記読取部は、前記傾斜面の直下に設けられる請求項２に記載の読取装置。
【請求項４】
前記開口部の上方に設けられ、売上登録処理に係る情報を表示するオペレータ用の第１表示部と、
前記読取部の近傍に設けられ、当該読取部での読み取りを促すガイダンス画面を表示する顧客用の第２表示部と、
を更に備える請求項１〜３の何れか一項に記載の読取装置。
【請求項５】
前記撮像部で撮像された画像及び前記読取部で読み取られた付加情報を取り込み、前記商品の売上登録処理を実行する処理部に出力する出力部を更に備える請求項１〜４の何れか一項に記載の読取装置。
【発明の詳細な説明】
【技術分野】
【０００１】
本発明の実施形態は、読取装置に関する。
【背景技術】
【０００２】
スーパーマーケット等の店舗では、買物客が商品を購入するような場合、陳列されている商品の現物を買い物カゴやカート等に収納し、レジカウンタに運ぶことが行われる。このレジカウンタでは、チェックアウト業務が店員によって行なわれる。レジカウンタには、バーコードスキャナ等の商品情報を読み取る読取装置が設けられる。店員は、レジカウンタを挟んで買物客と対向する位置に立ち、買物客が持って来た商品の現物を順次読取装置に読み取らせることで、購入の対象とされた商品に関する情報を入力する。
【０００３】
また、従来、店舗では販売促進を図るための種々のサービスが提供されている。例えば、購入金額に応じてポイントを付与し、その買物客の識別情報（会員番号等）と関連付けて累積記憶することが行われている。そして、付与されたポイントは、次回以降の取引でポイント分の値引きや商品との交換等に利用できるものとしている。また、識別情報の送受信に、識別情報を記憶したＩＣタグを具備するＩＣカード（会員カード）等を用いるものも登場している。
【０００４】
ところで、従来のレジカウンタの構成では、例えば、ポイント付与のために上述した会員カードをオペレータに手渡すような場合、店員の作業を中断させたり、作業に入る前や作業が終わるのを待ってから行うことが一般的である。そのため、店員の作業効率が低下する可能性があり、また、買物客にとっても提示の手続きが煩わしいという問題がある。
【発明の概要】
【発明が解決しようとする課題】
【０００５】
本発明が解決しようとする課題は、店員及び買物客の利便性を高め、作業効率の向上を図ることが可能な読取装置を提供することである。
【課題を解決するための手段】
【０００６】
実施形態の読取装置は、オペレータと顧客とが略対面する場所に設置され、購入する商品の読み取りを行う読取装置であって、本体部と、オペレータ用の撮像部と、顧客用の読取部とを備える。本体部は、オペレータが位置する側に開口部が設けられる。撮像部は、前記本体部内に設けられ、前記開口部を介して前記商品を撮像する。読取部は、前記本体部の上面に設けられ、顧客が所持する近距離無線通信可能な物品と交信し、当該物品に記憶された所定の付加情報を読み取る。
【図面の簡単な説明】
【０００７】
【図１】図１は、実施形態に係るＰＯＳシステムの全体構成を示す図である。
【図２】図２は、読取装置の斜視図である。
【図３】図３は、読取装置の上面部の構成を示す概略断面図である。
【図４】図４は、読取装置の電気的接続を示すブロック図である。
【図５】図５は、ＰＯＳ端末の電気的接続を示すブロック図である。
【図６】図６は、読取装置及びＰＯＳ端末の機能構成を示す図である。
【図７】図７は、読取装置が行う読取処理の一例を示すフローチャートである。
【図８】図８は、ＰＯＳ端末が行う売上登録処理の一例を示すフローチャートである。
【発明を実施するための形態】
【０００８】
以下、本実施形態について図面を参照して説明する。ここで、図１は実施形態にかかるＰＯＳシステム１の全体構成を示す斜視図である。
【０００９】
図１に示すように、店舗システムであるＰＯＳ（Point  Of  Sales）システム１は、縦型スキャナである読取装置１０と、読取装置１０で撮像した画像に応じて売上登録処理を実行する商品販売データ処理装置であるＰＯＳ端末２０とを備える。読取装置１０は、買物カゴ等が載置されるサッカー台２上において、オペレータと顧客とが略対面する場所（略中央部）に立設される。ＰＯＳ端末２０は、サッカー台２の一方の端部付近に設けられる。読取装置１０とＰＯＳ端末２０とは、図示しない伝送路によって相互通信可能に接続される。これら読取装置１０とＰＯＳ端末２０とは、店舗システムを構成する。
【００１０】
ＰＯＳ端末２０は、買物客が購入した商品の各種データに基づく会計処理を含む売上登録処理等を実行する。ＰＯＳ端末２０は、硬貨及び紙幣を出し入れ自在に収納するドロワ３０の上に設置されている。ＰＯＳ端末２０は、オペレータ用と客用との２つの表示器２１（２１ａ、２１ｂ）と、キーボードや鍵キーを含む入力装置２２と、レシートプリンタ２３と、を備えている。表示器２１及び入力装置２２は、ユーザによる情報入力機能とユーザに対する情報出力機能とを有するユーザインタフェースを構成する。
【００１１】
次に、図２を参照して、読取装置１０の構成について説明する。図２（ａ）は、読取装置１０を撮像窓１１ａが設けられている側（以下、オペレータの立ち位置側という）から見た状態を示す斜視図である。また、図２（ｂ）は、読取装置１０を撮像窓１１ａが設けられている側とは反対側（買物客の立ち位置側という）から見た状態を示す斜視図である。
【００１２】
図２に示すように、読取装置１０は、本体部１１、撮像部１２、第１表示部１３、キーボード１４、読取部１５及び第２表示部１６等を備える。
【００１３】
本体部１１は、概略直方体状に形成されており、サッカー台２上に立設される。本体部１１の高さは、例えば、サッカー台２上においてオペレータの目の高さ程度とすることが好ましい。
【００１４】
本体部１１におけるオペレータの立ち位置側には、開口部となる撮像窓１１ａが設けられる。撮像部１２は、撮像窓１１ａ内に設置される。オペレータは、買物客が持って来た商品を撮像窓１１ａにかざすことで、当該商品の読み取り（撮像）を行う。撮像部１２は、ＣＣＤ（Charge  Coupled  Device）やＣＭＯＳ（Complementary  MOS）等の撮像素子を有するイメージセンサである。撮像部１２は、撮像窓１１ａを介して、本体部１１の外を撮像する。具体的に、撮像部１２は、撮像窓１１ａにかざされる商品に付されたコードシンボル（バーコードや二次元コード等）や、当該商品の全体または一部のオブジェクトを光学的に撮像する。
【００１５】
ここで、オブジェクト認識について説明する。オブジェクト認識とは、撮像部１２にて撮像した物品（オブジェクト）の外観から得られる特徴量からその物品を特定（認識）する技術である。ＰＯＳ端末２０は、撮像部１２で撮像された撮像画像（オブジェクト画像）から被写体となった商品の外観上の特徴を特徴量として抽出し、抽出した特徴量を、予め用意された基準商品の特徴量（照合用データ）と比較することで、被写体となった商品を特定（認識）する。商品の外観上の特徴とは、形状、色合い、表面の凹凸等である。
【００１６】
第１表示部１３は、オペレータ用の表示装置であって、撮像窓１１ａの上部に設けられる。第１表示部１３は、ＬＣＤ（Liquid  Crystal  Display）等の表示デバイスで構成されるタッチパネル付きの表示装置である。第１表示部１３は、ＰＯＳ端末２０による売上登録処理に応じ、オペレータに対して登録された商品の品名、価格等を表示する。
【００１７】
キーボード１４は、第１表示部１３の近傍（側部）に設けられる。キーボード１４は、コードシンボルやオブジェクト画像で登録不能な商品の登録を行うための各種キー等を有する。なお、図２では、第１表示部１３とキーボード１４とを一体的に設けた例を示しているが、別体としてもよい。
【００１８】
また、本体部１１の上面１１ｂは、オペレータの立ち位置側から買物客の立ち位置側へ下る傾斜面を有する。読取部１５は、この傾斜面に設けられる。
【００１９】
図３は、読取装置１０の上面部の構成を示す概略断面図である。図３に示すように、読取部１５は、支持部１１ｃ等により支持されることで、上面１１ｂの傾斜面と略平行となるよう、当該上面１１ｂの直下（下部）に配置される。ここで、読取部１５は、非接触型ＩＣタグ等との間で近距離無線通信（ＮＦＣ：Near  Field  Communication）を行うリーダ装置（リーダ／ライタ装置）である。読取部１５は、上面１１ｂの上部に近距離無線通信可能な物品（以下、通信可能物という）がかざされると、その通信可能物と交信する。そして、読取部１５は、通信可能物に記憶された情報を付加情報として読み取る。
【００２０】
通信可能物は、例えば、ＩＣタグを具備するＩＣカード（会員カード）や情報通信端末（例えば携帯電話、スマートフォン）等である。また、読み取りの対象となる付加情報は、特に問わないものとするが、例えば、買物客を識別するために予め割り振られた会員番号等の識別情報や、値引等のサービスを提供することを示すサービス情報、電子マネー等の電子決済情報等が挙げられる。
【００２１】
買物客は、自身が所持する通信可能物を本体部１１の上面１１ｂにかざすことで、付加情報を読み取らせる。このとき、上面１１ｂに傾斜面が設けられていることから、買物客は通信可能物を上面１１ｂに載置できず、また、上面１１ｂ上に載置したとしても通信可能物の落下を防ぐため手で保持し続ける必要がある。そのため、上面１１ｂ上に通信可能物を置き忘れるようなことを防止することができる。
【００２２】
なお、本実施形態では、上面１１ｂの下部に埋設した状態で読取部１５を設けているが、これに限らないものとする。例えば、読取部１５の一部を上面１１ｂから突出させた状態で設けてもよい。また、本実施形態では、読取部１５を本体部１１と一体的に設ける形態としたが、読取部１５を着脱可能とすることで本体部１１とは別体として設ける形態としてもよい。
【００２３】
図２に戻り、第２表示部１６は、買物客用の表示装置であって、読取部１５の近傍に設けられる。第２表示部１６は、ＬＣＤ等の表示デバイスで構成されるタッチパネル付きの表示装置である。第２表示部１６は、ＰＯＳ端末２０による売上登録処理に応じ、買物客に対して登録された商品の品名、価格等を表示する。また、第２表示部１６は、読取部１５での読み取りを促すメッセージや画像等を表示する。なお、本実施形態では、図示しない保持部材により、本体部１１の側部に第２表示部１６を保持する構成としたが、この構成に限定されないものとする。
【００２４】
次に、読取装置１０の電気的接続について説明する。図４は、読取装置１０の電気的接続を示すブロック図である。図４に示すように、読取装置１０には、マイクロコンピュータ１０１が備えられており、このマイクロコンピュータ１０１が各部を駆動制御する。マイクロコンピュータ１０１は、各部を集中的に制御するＣＰＵ（Central  Processing  Unit）１０２に、バスライン１０３を介して制御プログラム等の固定的情報を予め記憶するＲＯＭ（Read  Only  Memory）１０４と、各種データを書き換え自在に記憶してワークエリア等として機能するＲＡＭ（Random  Access  Memory）１０５とが接続される。したがって、マイクロコンピュータ１０１は、情報処理を実行する情報処理部を構成する。ＲＡＭ１０５は、その全部又は一部が不揮発性メモリである。
【００２５】
マイクロコンピュータ１０１には、バスライン１０３を介して、入出力コントローラ１０６と、表示／キーボードコントローラ１０７と、記憶部１０８と、通信インタフェース１０９とが接続されている。
【００２６】
入出力コントローラ１０６は、撮像部１２及び読取部１５と接続される。入出力コントローラ１０６は、撮像部１２で撮像された画像（画像データ）及び読取部１５で読み取られた付加情報をマイクロコンピュータ１０１に出力する。また、入出力コントローラ１０６は、マイクロコンピュータ１０１から出力される制御信号を、撮像部１２及び読取部１５に出力する。
【００２７】
表示／キーボードコントローラ１０７は、第１表示部１３及び第２表示部１６を駆動制御し、各種の画像を表示器２１に表示させる。また、表示／キーボードコントローラ１０７は、第１表示部１３及び第２表示部１６でのタッチ操作に伴う操作信号やキーボード１４からの操作信号をマイクロコンピュータ１０１に出力する。
【００２８】
記憶部１０８は、ＨＤＤ（Hard  Disk  Drive）やＳＳＤ（Solid  State  Drive）等の記憶装置である。記憶部１０８は、読取装置１０の動作に係る各種データが保存される。通信インタフェース１０９は、ＬＡＮケーブル等の接続線を介して他の機器（ＰＯＳ端末２０）との間でのデータ通信を可能とする。例えば、通信インタフェース１０９は、撮像部１２及び読取部１５から取り込まれた画像や付加情報、操作信号等を、入力データとしてＰＯＳ端末２０に送出する。また、通信インタフェース１０９は、第１表示部１３や第２表示部１６に対する表示用のデータ等をＰＯＳ端末２０から受信する。
【００２９】
次に、ＰＯＳ端末２０の電気的接続について説明する。図５は、ＰＯＳ端末２０の電気的接続を示すブロック図である。図５に示すように、ＰＯＳ端末２０には、マイクロコンピュータ２０１が備えられており、このマイクロコンピュータ２０１が各部を駆動制御する。マイクロコンピュータ２０１は、各部を集中的に制御するＣＰＵ２０２に、バスライン２０３を介して制御プログラム等の固定的情報を予め記憶するＲＯＭ２０４と、各種データを書き換え自在に記憶してワークエリア等として機能するＲＡＭ２０５とが接続される。したがって、マイクロコンピュータ２０１は、情報処理を実行する情報処理部を構成する。ＲＡＭ２０５は、その全部又は一部が不揮発性メモリである。
【００３０】
マイクロコンピュータ２０１には、バスライン２０３を介して、表示／キーボードコントローラ２０６と、記憶部２０７と、通信インタフェース２０８と、プリンタコントローラ２０９と、スキャナコントローラ２１０とが接続されている。
【００３１】
表示／キーボードコントローラ２０６は、画像データに基づいて表示器２１を駆動制御し、画像データに応じた画像を表示器２１に表示させ、また、入力装置２２からの入力データをマイクロコンピュータ２０１に取り込む。
【００３２】
記憶部２０７は、ＨＤＤやＳＳＤ等の記憶装置である。記憶部２０７には、各種データが保存される。記憶部２０７は、例えば、ＰＯＳ端末２０における各種処理用のプログラム、商品マスタファイル、及び、売上データファイル等である（何れも図示せず）。商品マスタファイルは、商品コードに対応付けて売価や商品名等を記憶する。また、売上データファイルは、取引番号及び取引種別とともに一取引分の売上データを記憶する。
【００３３】
通信インタフェース２０８は、ＬＡＮケーブル等の接続線を介して他の機器との間でのデータ通信を可能とする。例えば、通信インタフェース２０８は、読取装置１０から送出される入力データを受信する。また、通信インタフェース２０８は、第１表示部１３や第２表示部１６に対する表示用信号等を読取装置１０に送出する。
【００３４】
プリンタコントローラ２０９は、印字データに基づいてレシートプリンタ２３を駆動制御し、印字データに応じた画像をレシートプリンタ２３に印字させる。
【００３５】
スキャナコントローラ２１０は、読取装置１０からの入力データをマイクロコンピュータ２０１に取り込む。また、スキャナコントローラ２１０は、第１表示部１３及び第２表示部１６を駆動制御し、各種画像を第１表示部１３及び第２表示部１６に表示させる。
【００３６】
次に、読取装置１０及びＰＯＳ端末２０の機能構成について説明する。図６は、読取装置１０及びＰＯＳ端末２０の機能構成を示す図である。
【００３７】
読取装置１０は、記憶部１０８に記憶されたプログラムに従うことにより、図６に示すように、取込制御部４１と、表示制御部４２として機能する。
【００３８】
取込制御部４１は、撮像部１２で撮像される画像及び読取部１５で読み取られる付加情報について、その取り込みと送出とを制御する機能部である。具体的に、取込制御部４１は、キーボード１４や第１表示部１３の操作或いはＰＯＳ端末２０から通知される信号により取引開始が指示されると、入出力コントローラ１０６を介して取り込みを開始する。
【００３９】
また、取込制御部４１は、取り込んだ画像データや付加情報を、通信インタフェース１０９を介してＰＯＳ端末２０に送出する。そして、取込制御部４１は、キーボード１４や第１表示部１３の操作或いはＰＯＳ端末２０から通知される信号により取引終了が指示されると、取り込みを停止する。ここで、取込制御部４１は、撮像部１２及び読取部１５の動作自体を停止させてもよく、この場合、取引開始の指示に応じて撮像部１２及び読取部１５の動作を開始させる。
【００４０】
表示制御部４２は、第１表示部１３及び第２表示部１６の表示を制御する機能部である。具体的に、表示制御部４２は、ＰＯＳ端末２０から入力される表示用の制御信号に基づき、後述するガイダンス画面や取引明細等の各種情報を第１表示部１３や第２表示部１６に表示させる。
【００４１】
一方、ＰＯＳ端末２０は、記憶部２０７に記憶されたプログラムに従うことにより、図６に示すように、売上登録部５１及び表示制御部５２として機能する。
【００４２】
売上登録部５１は、商品の売上登録に係る売上登録処理を実行する機能部である。売上登録部５１は、入力装置２２を介して取引の開始を指示する操作を受け付けると、読取装置１０に取引開始を通知することで売上登録処理を開始する。
【００４３】
売上登録部５１は、売上登録処理において、読取装置１０から入力される画像や付加情報に基づき商品の売上登録を行う。具体的に、売上登録部５１は、撮像部１２で撮像された画像（商品に付されたコードシンボルの画像や商品の全体または一部のオブジェクト画像など）から、当該画像に応じた商品を商品マスタファイルから特定し、特定した商品の売上登録を行う。
【００４４】
また、売上登録部５１は、読取部１５で読み取られた付加情報（買物客が所持する通信可能物に記憶された情報）を受け付けると、その付加情報の内容に応じた所定の処理を実行する。例えば、付加情報が、買物客を識別する会員番号等の識別情報の場合、取引の合計金額に応じて算出したポイント等をその識別情報に関連付けて付与する。また、付加情報が、値引等のサービスを提供することを示したサービス情報である場合、そのサービス内容に応じた値引等の処理を取引の合計金額等に適用する。また、付加情報が、電子マネー等の電子決済情報である場合、この電子決済情報を用いて商品の決済を行う。
【００４５】
また、売上登録部５１は、入力装置２２を介して取引の終了を指示する操作を受け付けると、読取装置１０に取引終了を通知することで売上登録処理を終了する。
【００４６】
表示制御部５２は、読取装置１０の表示制御部４２と協働することで、読取装置１０で表示される画面を制御する。具体的に、表示制御部５２は、売上登録部５１による売上登録処理に応じた取引明細の表示用データを生成して第１表示部１３や第２表示部１６に表示させる。また、表示制御部５２は、読取部１５での読み取りを促すメッセージや画像等を第２表示部１６に表示させる。ここで、取引明細は、例えば商品の品名、価格、合計金額等である。表示制御部５２は、売上登録処理をしてから、少なくとも取引が確定されるまで、取引明細の表示用データを第２表示部１６に表示させる。
【００４７】
なお、本実施形態の読取装置１０及びＰＯＳ端末２０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４８】
さらに、本実施形態の読取装置１０及びＰＯＳ端末２０で実行されるプログラムを、インターネット等のネットワークに接続されたコンピュータ上に格納し、ネットワーク経由でダウンロードさせることにより提供するように構成してもよい。また、本実施形態の読取装置１０及びＰＯＳ端末２０で実行されるプログラムをインターネット等のネットワーク経由で提供または配布するように構成してもよい。
【００４９】
次に、ＰＯＳシステム１の動作について説明する。まず、図７を参照して、読取装置１０が行う読取処理について説明する。ここで、図７は、読取装置１０が行う読取処理の一例を示すフローチャートである。
【００５０】
取引の開始を指示する操作がなされると（ステップＳ１１）、読取装置１０の表示制御部４２は、ＰＯＳ端末２０の表示制御部５２と協働することで、読取部１５での読み取りを促すメッセージや画像等をガイダンス画面として第２表示部１６に表示する（ステップＳ１２）。
【００５１】
続いて、取込制御部４１は、撮像部１２及び読取部１５からの取り込みを開始する（ステップＳ１３）。これにより、取り込まれた画像や付加情報は、ＰＯＳ端末２０に送出される。
【００５２】
取引が開始されると、読取装置１０のオペレータは、購入の対象とされた各商品を撮像窓１１ａにかざすことで、商品の撮像を順次行う。これにより、撮像部１２からは、商品の画像が順次出力される。
【００５３】
ところで、従来の読取装置の構成では、買物客が会員カードやサービス情報等をオペレータに提示する場合、オペレータの作業を中断させたり、作業に入る前や作業が終わるのを待ってから行うことが一般的である。そのため、商品の読み取りに係る作業効率が低下する可能性があり、また、買物客にとっても提示の手続きが煩わしいという問題がある。
【００５４】
一方、本実施形態の読取装置１０では、買物客の立ち位置側に設けられた読取部１５により、買物客自身が各種情報の入力を行うことが可能である。そのため、オペレータが商品の撮像を行っている間に、買物客は自身が所持する通信可能物を読取部１５にかざすことで、会員番号等の付加情報を入力することができる。これにより、商品の読み取り（撮像）と、付加情報の読み取りとを並行して行うことができるため、読取作業の効率化を図ることができる。また、オペレータに情報通信端末等を提示する手間を省くことができるため、利便性の向上を図ることができる。
【００５５】
続いて、表示制御部４２は、ＰＯＳ端末２０から取引明細の表示用データが入力されたか否かを判定する（ステップＳ１４）。ここで、入力されないと判定した場合には（ステップＳ１４；Ｎｏ）、ステップＳ１６に移行する。また、入力されたと判定した場合には（ステップＳ１４；Ｙｅｓ）、表示制御部４２は、第１表示部１３や第２表示部１６に取引明細を表示し（ステップＳ１５）、ステップＳ１６に移行する。
【００５６】
読取装置１０のマイクロコンピュータ１０１は、ＰＯＳ端末２０での操作により取引確定されるまで、ステップＳ１３〜Ｓ１５の処理を繰り返す（ステップＳ１６；Ｎｏ）。そして、取引確定の指示を受け付けると（ステップＳ１６；Ｙｅｓ）、取込制御部４１は、撮像部１２及び読取部１５からの取り込みを停止し（ステップＳ１７）、本処理を終了する。
【００５７】
次に、図８を参照して、ＰＯＳ端末２０が行う売上登録処理について説明する。ここで、図８は、ＰＯＳ端末２０が行う売上登録処理の一例を示すフローチャートである。
【００５８】
取引の開始を指示する操作がなされると（ステップＳ２１）、ＰＯＳ端末２０の表示制御部５２は、読取装置１０の表示制御部４２と協働することで、読取部１５での読み取りを促すガイダンス画面を第２表示部１６に表示させる（ステップＳ２２）。
【００５９】
続いて、売上登録部５１は、読取装置１０から、画像や付加情報が入力されるまで待機する（ステップＳ２３；Ｎｏ）。ここで、撮像部１２から取り込まれた画像が入力された場合（ステップＳ２３；Ｙｅｓ→ステップＳ２４；Ｙｅｓ）、売上登録部５１は、その画像に応じた商品を商品マスタファイルから特定する（ステップＳ２５）。そして、売上登録部５１は、特定した商品の売上登録を実行する（ステップＳ２６）。
【００６０】
次いで、ＰＯＳ端末２０の表示制御部５２は、売上登録に応じた取引明細（商品の品名、価格、合計金額等）の表示用データを生成する（ステップＳ２７）。そして、表示制御部５２は、読取装置１０の表示制御部４２と協働することで、生成した表示用データである取引明細を第１表示部１３や第２表示部１６に表示させる（ステップＳ２８）。
【００６１】
ここで、第２表示部１６における取引明細は、ガイダンス画面とともに表示させてもよいし、ガイダンス画面を消去させてから明細画面を表示させてもよい。例えば、読取部１５で読み取られた付加情報を既に受け付けている場合には、ガイダンス画面を消去させ、受け付けていない場合には、ガイダンス画面を縮小等することで明細画面とともに表示させてもよい。
【００６２】
一方、読取部１５から取り込まれた付加情報が入力された場合（ステップＳ２３；Ｙｅｓ→ステップＳ２４；Ｎｏ）、売上登録部５１は、その付加情報の内容に応じた処理を実行する（ステップＳ２９）。なお、ステップＳ２９の処理結果等を第１表示部１３や第２表示部１６に表示させる形態としてもよい。
【００６３】
ＰＯＳ端末２０のマイクロコンピュータ２０１は、キーボード１４の締めキー（図示せず）が操作されて取引確定されるまで、ステップＳ２３〜Ｓ２９の処理を繰り返す（ステップＳ３０；Ｎｏ）。そして、ＰＯＳ端末２０のマイクロコンピュータ２０１は、締めキーの操作により取引確定の宣言を受け付けると（ステップＳ３０；Ｙｅｓ）、取引明細やステップＳ２９での処理結果をレシートプリンタ２３から印字出力し（ステップＳ３１）、処理を終了する。
【００６４】
以上のように、本実施形態によれば、オペレータ用の撮像部１２と、買物客用の読取部１５とを用いることで、取引（売上登録）に係る各種情報の読み取りを並行して行うことができる。これにより、読取作業に係る作業効率の向上を図ることができるとともに、店員及び買物客の利便性を向上させることができる。また、読取装置１０（本体部１１）の上面１１ｂに読取部１５を設けたことで、上面１１ｂのスペースを有効に活用できるため、読取装置１０のコンパクト化を図ることができる。
【００６５】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６６】
例えば、上記実施形態では、ＰＯＳ端末２０の表示制御部５２が、読取装置１０での表示を制御する構成としたが、これに限らないものとする。例えば、読取装置１０の表示制御部４２が、表示制御部５２の機能の一部又は全てを備えることで、読取装置１０の表示制御部４２単体で表示を制御する構成としてもよい。また、読取装置１０が、売上登録部５１の機能の一部又は全てを備える構成としてもよい。例えば、読取装置１０側で、撮像部１２で取得された画像から商品の特定を行い、その結果を付加情報とともにＰＯＳ端末２０に出力する構成としてもよい。
【００６７】
また、上記実施形態では、本実施形態のＰＯＳシステム１は、縦型スキャナである読取装置１０とＰＯＳ端末２０とを別体で構成したが、これに限らないものとする。例えば、縦型スキャナである読取装置１０とＰＯＳ端末２０とを一体化したＰＯＳシステム１であってもよい。
【符号の説明】
【００６８】
１  ＰＯＳシステム
２  サッカー台
１０  読取装置
１１  本体部
１１ａ  撮像窓
１１ｂ  上面
１２  撮像部
１３  第１表示部
１４  キーボード
１５  読取部
１６  第２表示部
２０  ＰＯＳ端末
３０  ドロワ
４１  取込制御部
４２  表示制御部
５１  売上登録部
５２  表示制御部
【先行技術文献】
【特許文献】
【００６９】
【特許文献１】特開２０００−６７３２２号公報
【図１】
2015152960.tif 000003
【図２】
2015152960.tif 000004
【図３】
2015152960.tif 000005
【図４】
2015152960.tif 000006
【図５】
2015152960.tif 000007
【図６】
2015152960.tif 000008
【図７】
2015152960.tif 000009
【図８】
2015152960.tif 000010